(57)【要約】      （修正有）【課題】トラッキングの発生を低減することができるコンセントを提供する。【解決手段】コンセントは、筐体６、複数の端子部４０，６０，８０、絶縁性の中子３０、カバーを具備する。筐体は、開口１ａを有する。複数の端子部は、筐体に収容される。中子は、端子部間を隔てる。カバーは、開口を覆う。また、カバーは、中子を介して端子部を保持し、端子部のそれぞれは、アース線または電源線に接続される接続端子部と、接続端子部と電気的に接続された刃受部とを有し、中子は、接続端子部押圧する。また、端子部のそれぞれは、送り線を接続可能な送り端子部さらに有し、中子は、複数の端子部のうち、電圧極の電源線に接続された端子部を他の端子部から隔てる構造を有する。【選択図】図４
2019029278.tif 000002
【特許請求の範囲】
【請求項１】
開口を有する筐体と；
前記筐体に収容された複数の端子部と；
前記端子部間を隔てる絶縁性の中子と；
前記開口を覆うカバーと；
を具備することを特徴とするコンセント。
【請求項２】
前記カバーは、前記中子を介して前記端子部を保持することを特徴とする請求項１に記載のコンセント。
【請求項３】
前記端子部のそれぞれは、アース線または電源線に接続される接続端子部と、前記接続端子部と電気的に接続された刃受部とを有し、
前記中子は、前記接続端子部を押圧することを特徴とする請求項１または２に記載のコンセント。
【請求項４】
前記端子部のそれぞれは、送り線を接続可能な送り端子部をさらに有することを特徴とする請求項１〜３のいずれか１項に記載のコンセント。
【請求項５】
前記中子は、前記複数の端子部のうち、電圧極の電源線に接続された端子部を他の端子部から隔てる構造を有することを特徴とする請求項１〜４のいずれか１項に記載のコンセント。
【請求項６】
前記中子は、前記複数の端子部のそれぞれを隔てる構造を有することを特徴とする請求項１〜５のいずれか１項に記載のコンセント。
【請求項７】
前記複数の端子部として、電圧極の電源線が接続される端子部と、中性極の電源線が接続される端子部と、アース線が接続される端子部と
を有することを特徴とする請求項１〜６のいずれか１項に記載のコンセント。
【発明の詳細な説明】
【技術分野】
【０００１】
本発明の実施形態は、コンセントに関する。
【背景技術】
【０００２】
電源線が接続される接続端子部と、栓刃が挿入・保持される刃受部とを電気的に接続した端子部を有するコンセントが知られている。
【先行技術文献】
【特許文献】
【０００３】
【特許文献１】特開２００１−１８５２８９号公報
【発明の概要】
【発明が解決しようとする課題】
【０００４】
筐体に収容された端子部は、筐体を覆うカバーの内部から突出するリブにより接続端子部を押圧することで位置決めされる。例えば、接続端子部とカバーとの間に刃受部が配置されるような構成を有するコンセントでは、リブ長が大きくなる。このとき、栓刃の差込口からホコリ等の異物が侵入すると、接続端子部とカバーとの隙間で異極端子部間に跨るように異物がたまり、トラッキングが発生しやすくなる。
【０００５】
本発明が解決しようとする課題は、トラッキングの発生を低減することができるコンセントを提供することである。
【課題を解決するための手段】
【０００６】
実施形態のコンセントは、筐体、複数の端子部、絶縁性の中子、カバーを具備する。筐体は、開口を有する。複数の端子部は、筐体に収容される。中子は、端子部間を隔てる。カバーは、開口を覆う。
【発明の効果】
【０００７】
本発明によれば、トラッキングの発生を低減することができる。
【図面の簡単な説明】
【０００８】
【図１】実施形態に係るコンセントの外観例を示す図である。
【図２】実施形態に係るコンセントの外観例を示す図である。
【図３】実施形態に係るコンセントの外観例を示す図である。
【図４】実施形態に係るコンセントが有するカバーを取り外した外観例を示す斜視図である。
【図５】実施形態に係るコンセントが有する中子の外観例を示す斜視図である。
【図６】実施形態に係るコンセントが有するカバーおよび中子を取り外した外観例を示す斜視図である。
【図７】実施形態に係るコンセントを示す図２のＡ−Ａ断面図である。
【図８】実施形態に係るコンセントを示す図２のＢ−Ｂ断面図である。
【図９】実施形態に係るコンセントを示す図３のＣ−Ｃ断面図である。
【発明を実施するための形態】
【０００９】
以下に説明する実施形態に係るコンセント１は、筐体６、複数の端子部４０、６０、８０、絶縁性の中子３０、カバー２を具備する。筐体６は、開口１ａを有する。複数の端子部４０、６０、８０は、筐体６に収容される。中子３０は、端子部４０、６０、８０間を隔てる。カバー２は、開口１ａを覆う。
【００１０】
また、以下に説明する実施形態に係るカバー２は、中子３０を介して端子部４０、６０、８０を保持する。
【００１１】
また、以下に説明する実施形態に係る端子部４０、６０、８０のそれぞれは、アース線または電源線に接続される接続端子部４５、６５、８５と、接続端子部４５、６５、８５と電気的に接続された刃受部４１、６１、８１とを有し、中子３０は、接続端子部４５、６５、８５を押圧する。
【００１２】
また、以下に説明する実施形態に係る端子部４０、６０、８０のそれぞれは、送り線を接続可能な送り端子部４８（４７）、６８（６７）、８８（８７）をさらに有する。
【００１３】
また、以下に説明する実施形態に係る中子３０は、複数の端子部４０、６０、８０のうち、電圧極の電源線に接続された端子部６０を他の端子部４０、８０から隔てる構造を有する。
【００１４】
また、以下に説明する実施形態に係る中子３０は、複数の端子部４０、６０、８０のそれぞれを隔てる構造を有する。
【００１５】
また、以下に説明する実施形態に係るコンセント１は、複数の端子部４０、６０、８０として、電圧極の電源線が接続される端子部４０と、中性極の電源線が接続される端子部６０と、アース線が接続される端子部８０とを有する。
【００１６】
以下に、本発明に係る実施形態を図面に基づき説明する。なお、以下に示す実施形態は、本発明が開示する技術を限定するものではない。また、実施形態において同一の部位には同一の符号を付し、重複する説明は省略する。
【００１７】
［実施形態］
図１〜図３は、実施形態に係るコンセントの外観例を示す図である。図１は、実施形態に係るコンセント１を斜め上方向から見た斜視図である。図２は、図１に示すコンセント１の上面図であり、図３は、図１に示すコンセント１の底面図である。なお、以下では、大角連用形１個モジュールサイズのコンセント１を例に挙げて説明するが、これに限らず、複数の端子部を有していれば形状およびサイズは問わない。
【００１８】
なお、説明を分かりやすくするために、図１〜図３には、鉛直上向きを正方向とし、鉛直下向きを負方向とするＺ軸を含む３次元の直交座標系を図示している。かかる直交座標系は、後出の説明に用いる他の図面でも示している。
【００１９】
図１〜図３に示すように、コンセント１は、カバー２、筐体６、取付具７、８、解除ボタン１８、１９、２０を有する。カバー２は、例えばユリア樹脂であり、後述する筐体６の開口を覆うように筐体６の上方に配置される。
【００２０】
カバー２には、第１差込口３ａ、第２差込口４ａ、第３差込口５ａが設けられている。第１差込口３ａ、第２差込口４ａ、第３差込口５ａのそれぞれには、コンセント１に適応するプラグの栓刃（図示せず）が差し込まれる。
【００２１】
また、図２に示すように、第１差込口３ａおよび第２差込口４ａの外周部分には、プラグの回転方向を示す矢印を模擬した表示３ｂ、４ｂがそれぞれ設けられている。第１差込口３ａ、第２差込口４ａ、第３差込口５ａのそれぞれにプラグの栓刃を差し込み、表示３ｂ、４ｂに従って時計回りにプラグを回転させると、コンセント１の端子部とプラグの栓刃とが導通するとともにプラグがコンセント１に固定される。すなわち、実施形態に係るコンセント１はいわゆる抜止形のコンセントである。なお、端子部については後述する。
【００２２】
取付具７、８は、例えばステンレス鋼板で構成され、カバー２と筐体６とを固定する。
【００２３】
取付具７は、コンセント１のＹ軸正方向側の端部に、Ｘ軸に沿うように配置される。取付具７は、コンセント１の対向する側面を支持するアーム部７ａ、７ｂと、アーム部７ａ、７ｂを接続するようにカバー２の上面に沿って配置されるケース押さえ部７ｃとを有する。また、アーム部７ａの端部には爪部７ａ１、７ａ２が設けられており、アーム部７ｂの端部には爪部７ｂ１、７ｂ２が設けられている。
【００２４】
取付具８は、コンセント１のＹ軸負方向側の端部に、Ｘ軸に沿うように配置される。取付具８は、コンセント１の対向する側面を支持するアーム部８ａ、８ｂと、アーム部８ａ、８ｂを接続するようにカバー２の上面に沿って配置されるケース押さえ部８ｃとを有する。また、アーム部８ａの端部には爪部８ａ１、８ａ２が設けられており、アーム部８ｂの端部には爪部８ｂ１、８ｂ２が設けられている。
【００２５】
筐体６は、例えばユリア樹脂であり、後述する複数の端子部を収容する。筐体６は、保持部６ａ、６ｂ、６ｃ、６ｄを有する。保持部６ａ、６ｂは、取付具７を保持するように筐体６のＹ軸正方向側に設けられており、保持部６ｃ、６ｄは、取付具８を保持するように筐体６のＹ軸負方向側に設けられている。
【００２６】
保持部６ａは、アーム部７ａが配置される筐体６のＸ軸正方向側の端面を挟んでＹ軸方向に向かい合うようにＸ軸正方向に突出する凸部６ａ１、６ａ２を有する。同様に、保持部６ｂは、アーム部７ｂが配置される筐体６のＸ軸負方向側の端面を挟んでＹ軸方向に向かい合うようにＸ軸負方向に突出する凸部６ｂ１、６ｂ２を有する。
【００２７】
また、保持部６ｃは、アーム部８ａが配置される筐体６のＸ軸正方向側の端面を挟んでＹ軸方向に向かい合うようにＸ軸正方向に突出する凸部６ｃ１、６ｃ２を有する。同様に、保持部６ｄは、アーム部８ｂが配置される筐体６のＸ軸負方向側の端面を挟んでＹ軸方向に向かい合うようにＸ軸負方向に突出する凸部６ｄ１、６ｄ２を有する。
【００２８】
取付具７は、爪部７ａ１、７ａ２、７ｂ１、７ｂ２がそれぞれ凸部６ａ１、６ａ２、６ｂ１、６ｂ２に係合するようにかしめられる。また、取付具８は、爪部８ａ１、８ａ２、８ｂ１、８ｂ２がそれぞれ凸部６ｃ１、６ｃ２、６ｄ１、６ｄ２に係合するようにかしめられる。これにより、カバー２および筐体６は、取付具７、８によって固定される。
【００２９】
次に、筐体６の底面側の構成について図３を用いて説明する。図３に示すように、筐体６は、挿入口９、１０、１１、１２、１３、１４と、貫通孔１５、１６、１７とをさらに有する。
【００３０】
挿入口９、１０、１１、１２、１３、１４は、平面視で後述する接続端子部と重畳するように設けられている。挿入口９、１０、１１、１２、１３、１４には、適切なストリップ長を有するアース線または電源線の芯線（図示せず）が挿入され、対応する接続端子部に挿入されたアース線または電源線が結線される。本実施形態では、挿入口９または挿入口１０には中性極の電源線（図示せず）が挿入され、挿入口１１または挿入口１２にはアース線（図示せず）が挿入され、挿入口１３または挿入口１４には電圧極の電源線（図示せず）が挿入され、それぞれ対応する接続端子部に結線される。
【００３１】
また、貫通孔１５、１６、１７は、平面視で解除ボタン１８、１９、２０と重畳するように設けられている。解除ボタン１８、１９、２０は、挿入口９、１０、１１、１２、１３、１４に挿入されたアース線または電源線の結線を解除するために用いられる。具体的には、解除ボタン１８は、貫通孔１５を介したＺ軸正方向への押圧により、挿入口９、１４に挿入された電源線との結線を解除する。また、解除ボタン１９は、貫通孔１６を介したＺ軸正方向への押圧により、挿入口１０、１３に挿入された電源線の結線を解除する。また、解除ボタン２０は、貫通孔１７を介したＺ軸正方向への押圧により、挿入口１１、１２に挿入されたアース線の結線を解除する。
【００３２】
このように、実施形態に係るコンセント１は、挿入口９、１０、１１、１２、１３、１４と、貫通孔１５、１６、１７と、解除ボタン１８、１９、２０とを有することにより、電源線およびアース線の結線および結線の解除作業が容易になる。
【００３３】
次に、コンセント１内部の構成について図４を用いてさらに説明する。図４は、実施形態に係るコンセント１が有するカバー２を取り外した外観例を示す斜視図である。図４に示すように、筐体６は、上端部が開放された有底の開口１ａを有している。開口１ａには、中子３０と、端子部４０、６０、８０とが収容されている。なお、図４および後述する図６では、筐体６にカバー２を取り付けるための取付具７、８もカバー２とともに取り外したものとして図示している。
【００３４】
中子３０は、絶縁性の部材、例えばユリア樹脂であり、端子部４０、６０、８０を隔てるように配置されている。ここで、中子３０の具体的な構成について図４〜図６を用いてさらに説明する。図５は、中子３０の外観例を示す斜視図であり、図６は、実施形態に係るコンセント１が有するカバー２および中子３０を取り外した外観例を示す斜視図である。
【００３５】
中子３０は、仕切部３１、３２ａ、３２ｂと、位置決め部３３、３４、３５、３６、３７、３８、３９とを有する。
【００３６】
仕切部３１は、端子部４０と端子部６０との間にＹ軸方向に沿うように配置されている。仕切部３２ａ、３２ｂは、仕切部３１のＹ軸正方向側の端部から延びるように配置されている。仕切部３２ａは、端子部４０と端子部８０との間に配置され、仕切部３２ｂは、端子部６０と端子部８０との間に配置される。このように仕切部３１、３２ａ、３２ｂを配置することにより、例えばカバー２の第１差込口３ａ、第２差込口４ａ、第３差込口５ａからホコリ等の異物が侵入した場合であっても、異極端子部間、すなわち端子部４０と端子部６０との間、端子部６０と端子部８０との間、端子部８０と端子部４０との間、に跨るように異物がたまることに起因するトラッキングの発生を低減することができる。
【００３７】
位置決め部３３は、後述する位置決め部３８、３９を挟んで仕切部３２ａ、３２ｂと向かい合うように形成されており、端子部８０の後述する刃受部８１と接続端子部８５との間に配置される。位置決め部３４は、仕切部３１からＸ軸負方向側に張り出すように形成されており、端子部４０の後述する刃受部４１と接続端子部４５との間に配置される。位置決め部３５は、仕切部３１からＸ軸正方向側に張り出すように形成されており、端子部６０の後述する刃受部６１と接続端子部６５との間に配置される。
【００３８】
位置決め部３６は、中子３０のＹ軸負方向側の端部を構成する。位置決め部３７は、位置決め部３３のＹ軸正方向側の端部から突出するように形成されており、中子３０のＹ軸正方向側の端部を構成する。また、仕切部３２ａの一端から延びるように配置された位置決め部３８は、中子３０のＸ軸負方向側の端部を構成し、仕切部３２ｂの一端から延びるように配置された位置決め部３９は、中子３０のＸ軸正方向側の端部を構成する。このように位置決め部３３、３４、３５、３６、３７、３８、３９を設けることにより、筐体６内の適切な箇所に中子３０を配置させることが容易になる。なお、図示した例では、位置決め部３６はＸ軸方向に沿って並ぶ端部３６ａ、３６ｂを有しており、位置決め部３７はＸ軸方向に沿って並ぶ端部３７ａ、３７ｂを有しているが、これに限らず、例えば端部３６ａ、３６ｂおよび端部３７ａ、３７ｂがそれぞれＸ軸方向に沿う端面を有するように一体に形成されてもよい。また、位置決め部３３、３４、３５、３８、３９についても、筐体６内への中子３０の配置を適切に行うことができるものであれば図示した形状に限られない。
【００３９】
次に、端子部４０、６０、８０について説明する。端子部４０は、接続端子部４５と、接続端子部４５の上方、すなわちカバー２側に配置された刃受部４１とを有する。端子部６０は、接続端子部６５と、接続端子部６５の上方に配置された刃受部６１とを有する。端子部８０は、接続端子部８５と、接続端子部８５の上方に配置された刃受部８１とを有する。
【００４０】
接続端子部４５、６５、８５は、例えば純銅など、刃受部４１、６１、８１よりも高い導電性を有する材料で形成される。刃受部４１、６１、８１は、例えば黄銅など、接続端子部４５、６５、８５よりも高い弾性を有する材料で形成される。接続端子部４５、６５、８５および刃受部４１、６１、８１は、例えば溶接などによりそれぞれ電気的に接続されている。
【００４１】
なお、刃受部４１、６１、８１の一部は、筐体６の上端からはみ出すように形成されており、カバー２の内側に形成された収容部に収容されている。
【００４２】
次に、端子部４０、６０、８０を含むコンセント１のより詳細な構成について、図６〜図９を用いてさらに説明する。図７は、図２のＡ−Ａ断面図であり、図８は、図２のＢ−Ｂ断面図である。また、図９は、図３のＣ−Ｃ断面図である。
【００４３】
カバー２は、第１収容部３、第２収容部４、第３収容部５をさらに有する。第１収容部３は、第１差込口３ａと連通するように形成されており、刃受部４１の一部を収容する。第２収容部４は、第２差込口４ａと連通するように形成されており、刃受部６１の一部を収容する。第３収容部５は、第３差込口５ａと連通するように形成されており、刃受部８１の一部を収容する。
【００４４】
刃受部４１、６１、８１はそれぞれ、断面視で略Ｕ字形状を有し、第１差込口３ａ、第２差込口４ａ、第３差込口５ａからそれぞれ差し込まれた栓刃と導通するように形成されている。
【００４５】
また、筐体６は、開口１ａの底面からＺ軸正方向に突出する凸部２１、２２をさらに有する。凸部２１は、接続端子部４５と接続端子部６５との間に形成され、接続端子部４５、６５を区画する。凸部２２は、接続端子部４５、６５と接続端子部８５との間に形成され、接続端子部４５、６５と接続端子部８５を区画する。
【００４６】
凸部２１は、平面視で仕切部３１と重なるように配置されている。すなわち、凸部２１は、仕切部３１と協働して端子部４０と端子部６０とを区画する。また、凸部２２は、平面視で仕切部３２ａ、３２ｂと重なるように配置されており、凸部２２および仕切部３２ａ、３２ｂは協働して端子部４０と端子部８０、端子部６０と端子部８０とをそれぞれ区画する。
【００４７】
ここで、例えば中子３０を有しない構成を採用する場合、接続端子部４５、６５、８５とカバー２との間の間隔が長くなるため、接続端子部４５、６５、８５を含む端子部４０、６０、８０を適切に配置するためにはカバー２から延びるリブまたは凸部を長くする必要が生じる。長いリブまたは凸部を有するカバー２は、成形性が悪く、歩留が低下しやすくなる。そこで、カバー２と端子部４０、６０、８０との間に中子３０を配置すると、カバー２の形状を単純化することができる。このため、実施形態に係るコンセント１によれば、カバー２の成形性が向上する。
【００４８】
また、中子３０は、接続端子部４５、６５、８５を押圧するように配置されており、中子３０の直上にはカバー２が配置されている。例えば図７を参照すると、中子３０の位置決め部３３は、接続端子部８５と接触するように配置されており、位置決め部３３の上方には、カバー２が接触または近接するように配置されている。このようにカバー２と接続端子部４５、６５、８５との間に中子３０を配置することにより、カバー２が長いリブまたは凸部を有せずとも接続端子部４５、６５、８５を含む端子部４０、６０、８０の保持が容易となる。
【００４９】
また、図９に示すように、接続端子部６５は、支持部６６、６９、導通部６７、６８、本体部７０を有する。支持部６６、６９、導通部６７、６８は、ＺＸ平面に沿うように配置された本体部７０からＸ軸正方向側に張り出すように形成されている。
【００５０】
支持部６６、６９は、本体部７０と協働して着脱部材７１、７２を支持するように構成される。着脱部材７１、７２は、例えばステンレス鋼板で形成された板バネである。着脱部材７１は、挿入口９から中性極の電源線（図示せず）が挿入されることで付勢されて変形し、導通部６７と着脱部材７１との間で電源線が固定される。これにより、接続端子部６５と電源線とが導通部６７を介して電気的に接続される。
【００５１】
同様に、着脱部材７２は、挿入口１０から送り線（図示せず）が挿入されることで付勢され、導通部６８と着脱部材７１との間で送り線が固定される。これにより、接続端子部６５と送り線とが導通部６７を介して電気的に接続される。すなわち、導通部６７は、送り線を接続可能な送り端子部として機能する。なお、挿入口９に送り線を挿入し、挿入口１０に接続線を挿入しても構わない。
【００５２】
なお、接続端子部４５、８５についても、接続端子部６５と同様に構成される。すなわち、図７に示すように、接続端子部４５は、着脱部材５１、５２と協働して、挿入口１４、１３から挿入された電圧極の電源線または送り線を固定する導通部４７、４８を有する。また、図７、図９に示すように、接続端子部８５は、着脱部材９１、９２と協働して、挿入口１１、１２から挿入されたアース線または送り線を固定する導通部８７、８８を有する。
【００５３】
また、解除ボタン１８は、押圧により着脱部材５１、７１を付勢可能に配置されている。解除ボタン１８の押圧により着脱部材５１、７１が変形することにより、挿入口９、１４から挿入されて導通部４７、６７に接続された電源線または送り線の脱離が可能となる。同様に、解除ボタン１９は、押圧により着脱部材５２、７２を付勢可能に配置されている。解除ボタン１９の押圧により着脱部材５２、７２が変形することにより、挿入口１０、１３から挿入されて導通部４８、６８に接続された電源線または送り線の脱離が可能となる。さらに、解除ボタン２０は、押圧により着脱部材９１、９２を付勢可能に配置されている。解除ボタン２０の押圧により着脱部材９１、９２が変形することにより、挿入口１１、１２から挿入されて導通部８７、８８に接続された電源線または送り線の脱離が可能となる。
【００５４】
上述したように、実施形態に係るコンセント１は、筐体６、複数の端子部４０、６０、８０、絶縁性の中子３０、カバー２を具備する。筐体６は、開口１ａを有する。複数の端子部４０、６０、８０は、筐体６に収容される。中子３０は、端子部４０、６０、８０間を隔てる。カバー２は、開口１ａを覆う。これにより、コンセント１の内部に侵入したホコリなどの異物が端子部４０、６０、８０間を跨ぐようにたまりにくくなり、トラッキングの発生を低減することができる。
【００５５】
また、実施形態に係るカバー２は、中子３０を介して端子部４０、６０、８０を保持する。これにより、端子部４０、６０、８０を保持するためのリブをカバー２に形成する必要がなくなり、カバー２の成形性が向上する。
【００５６】
また、実施形態に係る端子部４０、６０、８０のそれぞれは、アース線または電源線に接続される接続端子部４５、６５、８５と、接続端子部４５、６５、８５と電気的に接続された刃受部４１、６１、８１とを有し、中子３０は、接続端子部４５、６５、８５を押圧する。これにより、刃受部４１、６１、８１に干渉することなく端子部４０、６０、８０を適切に保持することができる。
【００５７】
また、実施形態に係る端子部４０、６０、８０のそれぞれは、送り線を接続可能な送り端子部４８（４７）、６８（６７）、８８（８７）をさらに有する。これにより、送り線と電源線とを適切に接続させることができる。
【００５８】
また、実施形態に係る中子３０は、複数の端子部４０、６０、８０のうち、電圧極の電源線に接続された端子部６０を他の端子部４０、８０から隔てる構造を有する。これにより、コンセント１の内部に侵入したホコリなどの異物が、トラッキングの発生の主要因となる電圧極の電源線に接続された端子部６０と他の端子部４０、８０との間を跨ぐようにたまりにくくなる。このため、トラッキングの発生を効果的に低減することができる。
【００５９】
また、実施形態に係る中子３０は、複数の端子部４０、６０、８０のそれぞれを隔てる構造を有する。これにより、コンセント１の内部に侵入したホコリなどの異物によるトラッキングの発生をより確実に低減することができる。
【００６０】
また、実施形態に係るコンセント１は、複数の端子部４０、６０、８０として、電圧極の電源線が接続される端子部４０と、中性極の電源線が接続される端子部６０と、アース線が接続される端子部８０とを有する。これにより、端子部４０、６０、８０を有するコンセント１におけるトラッキングの発生を低減することができる。
【００６１】
なお、実施形態に係るコンセント１は、送り端子部を有するとして説明したが、これに限らず、送り端子部を有しなくてもよい。かかる場合、挿入口９、１０、１１、１２、１３、１４に代えて、例えば挿入口９、１１、１３のみを有してもよく、また、挿入口９、１１、１３の配置を適宜変更してもよい。
【００６２】
また、実施形態に係るコンセント１では、解除ボタン１８、１９、２０がそれぞれ２つの挿入口に挿入され、固定された電源線またはアース線を脱離可能として説明したが、これに限らず、例えば１つ、または３つ以上の挿入口に挿入され、固定された電源線またはアース線を脱離可能として構成してもよい。
【００６３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６４】
１  コンセント
１ａ  開口
２  カバー
３  第１収容部
３ａ  第１差込口
４  第２収容部
４ａ  第２差込口
５  第３収容部
５ａ  第３差込口
６  筐体
６ａ、６ｂ、６ｃ、６ｄ  保持部
７、８  取付具
７ａ、７ｂ、８ａ、８ｂ  アーム部
９、１０、１１、１２、１３、１４  挿入口
１５、１６、１７  貫通孔
１８、１９、２０  解除ボタン
２１、２２  凸部
３０  中子
３１、３２ａ、３２ｂ  仕切部
３３、３４、３５、３６、３７、３８、３９  位置決め部
４０、６０、８０  端子部
４１、６１、８１  刃受部
４５、６５、８５  接続端子部
４７、４８、６７、６８、８７、８８  導通部
５１、５２、７１、７２、９１、９２  着脱部材
【図１】
2019029278.tif 000003
【図２】
2019029278.tif 000004
【図３】
2019029278.tif 000005
【図４】
2019029278.tif 000006
【図５】
2019029278.tif 000007
【図６】
2019029278.tif 000008
【図７】
2019029278.tif 000009
【図８】
2019029278.tif 000010
【図９】
2019029278.tif 000011